(57)【要約】      （修正有）【課題】容器に貼って使用し、一部が分割可能な副片部となり、容器を包装用箱から取り出す際に副片部が包装用箱の内側部材に引っ掛からず、副片部の傷みを防ぎ、薬剤の管理を円滑に行える分割摘み付きラベルを提供する。【解決手段】薄いシート１２の一方の面に所定の情報が印刷された第１印刷部１４を有し、反対側の面には容器１１に貼着される粘着剤２３が塗布されている。シート１２の一部は、ジッパー線１８で区切られて、取り外し可能な副片部１６となる。副片部１６は、第２印刷部２２と、シート１２の側縁部１２ｂから突出する摘み部２０を備える。摘み部２０の一部は糊殺し部２４になっている。シート１２の、包装用箱１から取り出すために移動させる方向の端部１２ａは、粘着剤２３により容器１２に貼着され、糊殺し部２４が、容器１１の取り出し方向と異なる方向に突出している。【選択図】図１
0003186102.tif 000002
【実用新案登録請求の範囲】
【請求項１】
包装用箱に包装される容器に貼着するラベルであり、薄いシートで作られ、前記シートの一方の面には所定の情報が印刷された第１印刷部が設けられ、反対側の面には前記容器に貼着される粘着剤が塗布され、前記シートの一部は破断線で区切られ取り外し可能な副片部であり、前記副片部には第２印刷部が前記第１印刷部とは個別に設けられ、
前記副片部には、前記シートの側縁部から突出する摘み部が設けられ、前記摘み部の一部には粘着力を持たない非粘着部が設けられ、前記シートの、前記容器の前記包装用箱から取り出すために移動させる方向の側縁部は前記粘着剤が設けられて前記容器に貼着され、前記非粘着部はその他の方向に突出して設けられていることを特徴とする分割摘み付きラベル。
【請求項２】
前記摘み部は、前記容器の前記包装用箱から取り出すために移動させる方向に対して略１８０°反対方向に突出して設けられている請求項１記載の分割摘み付きラベル。
【請求項３】
前記摘み部は、前記容器の前記包装用箱から取り出すために移動させる方向に対して略９０°の方向に突出して設けられ、前記非粘着部は前記摘み部の先端部分を区切る曲線の内側に設けられ、前記曲線の両端部は前記摘み部の周縁部の２箇所に連続し中央部分は前記摘み部の基端部分に向かって湾曲するものであり、前記摘み部の、前記容器の前記包装用箱から取り出すために移動させる方向に対向する周縁部は、前記粘着剤が塗布されている請求項１記載の分割摘み付きラベル。
【請求項４】
前記容器は、開口部を閉鎖するキャップが設けられ、前記容器は前記キャップ側から移動させて前記包装用箱から取り出すものであり、前記シートは前記容器の側面に貼着され、前記摘み部は前記キャップに向かって突出して前記キャップの側方に達し、前記摘み部の、前記容器の側面と前記キャップの間に位置する部分に前記非粘着部が設けられ、前記摘み部の先端は前記粘着剤が設けられて前記キャップに貼着されていることを特徴とする請求項１記載の分割摘み付きラベル。
【考案の詳細な説明】
【技術分野】
【０００１】
この考案は、液体の薬剤を入れたビン等に貼るものであり、一部が分割可能な分割摘み付きラベルに関する。
【背景技術】
【０００２】
従来、医療用の液体の薬剤を入れるガラス製の容器には、薬剤名や成分等を印刷したラベルが貼られている。このラベルには、一部が破線等で区切られて分割可能なものもある。例えば、特許文献１に開示されている緩衝ラベル付き瓶容器は、ラベルが瓶容器の側面に貼り付けられ、ラベルの下方の端縁部は、瓶容器の底部よりも下方に位置して衝撃を吸収し容器の破損を防ぐものである。また、ラベルには切り取り用のミシン目で囲まれた副片が設けられ、副片には薬剤の名前や成分等の情報が印刷されている。薬剤を使用する時に、ミシン目を切断して副片を分割し、カルテや、この薬剤を充填した注射器等に貼り、薬剤の取り違え防止や使用履歴を残す等の管理に使用する。
【０００３】
また、特許文献２に開示されているラベルは、容器の側面に貼られた基層ラベルと、その基層ラベルよりも小さい面積を有し、前記基層ラベルの表面の一部領域に転着可能に貼付されて、端部には剥離する際に摘める摘み部が形成された小ラベル片が設けられているものである。小ラベル片には薬剤の名前や成分等の情報が印刷され、前記基層ラベルの、前記小ラベル片が貼付された部分には未使用品ではないことを示す情報が記載されている。使用方法は、薬剤を使用する時に、小ラベル片を基層ラベルから剥離して、カルテや、この薬剤を充填した注射器等に貼り、管理に使用する。さらに、基層ラベルの、小ラベル片が剥離された場所には未使用品ではないことを示す情報が開示される。
【０００４】
また、医療用の薬剤を入れるガラス製の容器は、緩衝効果が高い包装用箱に入れて運搬や保管を行う。緩衝効果が高い包装用箱として、例えば図６に示す包装用箱１がある。包装用箱１は、紙製等の一枚のブランクシートから一体的に打ち抜かれた箱体形成片であり、側面２，３，４，５が互いに連接して設けられ、箱体の内部空間を側面２，４に対して平行に２分割する中央仕切板６が設けられている。中央仕切板６の両面には仕切構成部７が接着され、各仕切構成部７の上端部は中央仕切板６の上端部にほぼ一致している。仕切構成部７の上端部より少し下には、４枚の側方仕切片８が逆くの字の切込線で区切られて設けられ、側方仕切片８は仕切構成部７に対してほぼ直角に立ち上がり、中央仕切板６と側面４、または中央仕切板６と側面２の間の空間を中央仕切板６に沿って５等分の空間に仕切っている。この中央仕切板６と側方仕切片８で仕切られた空間の中に、医療用の薬剤が入れられたガラス製の容器に各特許文献のラベル等を貼着して入れ、上蓋片９を閉じて包装する。
【先行技術文献】
【特許文献】
【０００５】
【特許文献１】特開平７−２５７５８３号公報
【特許文献２】特開２０１１−２０９４６３号公報
【考案の概要】
【考案が解決しようとする課題】
【０００６】
上記背景技術の場合、図６に示す包装用箱１から容器を取り出すとき、包装用箱１の仕切構成部７の、側方仕切片８が起き上がった後に残された段部である周縁部７ａに、容器のラベルが引っ掛かることがある。ラベルに設けられた副片や小ラベル片の摘み部はラベルの上端部よりも少し上方に突出し、粘着性がなく摘みやすくされているので、摘み部が周縁部７ａに引っ掛かりやすく、容器を上方に引き上げると共に副片や小ラベル片が剥がれることがあり、薬剤の管理に支障をきたすものである。その他、取り出し時に摘み部が折れ曲がったり、破れたりして、外観上や取り扱い上好ましくない場合があった。しかも、副片や小ラベル片は再度カルテや注射器に貼着可能な粘着力を有しているため、剥がれた副片が包装用箱１に貼着して作業効率が低下する恐れもある。
【０００７】
この考案は、上記背景技術の問題点に鑑みてなされたものであり、ビン等の容器に貼って使用し、一部が分割可能な副片部となり、容器を包装用箱から取り出す際に副片部が包装用箱の内側部材に引っ掛かることを防ぎ、容器を包装用箱から取り出す作業を容易にし、副片部を傷めることを防いで薬剤の管理を円滑に行うことができる分割摘み付きラベルを提供することを目的とする。
【課題を解決するための手段】
【０００８】
本考案は、包装用箱に包装される容器に貼着する分割摘み付きラベルであり、薄いシートで作られ、前記シートの一方の面には薬剤の名称や成分等の所定の情報が印刷された第１印刷部が設けられ、反対側の面には前記容器に貼着される粘着剤が塗布されている。前記シートの一部は破断線で区切られ取り外し可能な副片部であり、前記副片部には第２印刷部が前記１第１印刷部とは個別に設けられている。前記副片部には、前記シートの側縁部から突出する摘み部が設けられ、前記摘み部の一部には粘着力を持たない非粘着部が設けられている。前記シートの、前記容器の前記包装用箱から取り出すために移動させる方向の側縁部は前記粘着剤が設けられて前記容器に貼着され、前記非粘着部はその他の方向に突出して設けられている。
【０００９】
前記摘み部は、前記容器の前記包装用箱から取り出すために移動させる方向に対して略１８０°反対方向に突出して設けられている。
【００１０】
前記摘み部は、前記容器の前記包装用箱から取り出すために移動させる方向に対して略９０°の方向に突出して設けられ、前記非粘着部は前記摘み部の先端部分を区切る曲線の内側に設けられ、前記曲線の両端部は前記摘み部の周縁部の２箇所に連続し中央部分は前記摘み部の基端部分に向かって湾曲するものであり、前記摘み部の、前記容器の前記包装用箱から取り出すために移動させる方向に対向する周縁部は、前記粘着剤が塗布されている。
【００１１】
前記容器は、開口部を閉鎖するキャップが設けられ、前記容器は前記キャップ側から移動させて前記包装用箱から取り出すものであり、前記シートは前記容器の側面に貼着され、前記摘み部は前記キャップに向かって突出して前記キャップの側方に達し、前記摘み部の、前記容器の側面と前記キャップの間に位置する部分に前記非粘着部が設けられ、前記摘み部の先端は前記粘着剤が設けられて前記キャップに貼着されている。
【考案の効果】
【００１２】
本考案の分割摘み付きラベルは、容器を包装用箱から取り出す際に副片部が包装用箱の内側部材に引っ掛かることを防ぎ、容器を包装用箱から取り出す作業を容易にし、副片部を傷めることを防いで薬剤の管理を円滑に行うことができる。副片部は、摘み部が一体に形成され、摘み部には非粘着部が設けられて容易に保持して副片部を剥がすことができ、なおかつ摘み部は前記包装用箱の内側部材に引っ掛かることがなく、ラベル機能が損なわれることがない。
【図面の簡単な説明】
【００１３】
【図１】この考案の第一実施形態の分割摘み付きラベルの使用状態を示す斜視図である。
【図２】この考案の第一実施形態の分割摘み付きラベルの正面図である。
【図３】この考案の第二実施形態の分割摘み付きラベルの正面図である。
【図４】この考案の第三実施形態の分割摘み付きラベル使用状態を示す斜視図である。
【図５】この考案の第三実施形態の分割摘み付きラベルの正面図である。
【図６】医療用の薬剤が入れられた容器を収容する包装用箱の斜視図である。
【考案を実施するための形態】
【００１４】
以下、この考案の実施形態について図面に基づいて説明する。図１、図２はこの考案の第一実施形態を示すもので、この実施形態の分割摘み付きラベル１０は、医療用の薬剤が入れられた有底筒状の容器１１に貼着するものであり、紙製等のシート１２で作られ、シート１２の一方の面には薬剤の名称や成分等の情報が印刷された第１印刷部１４が設けられている。シート１２は容器１１の側面の円周方向に巻き回す一方向に長い矩形に形成され、長手方向の一方の端部１２ａは副片部１６となり、副片部１６は端部１２ａに対して平行なジッパー線１８で区切られている。副片部１６には、シート１２の端部１２ａに交差し容器１１に貼着した時に容器１１の底部側となる下側縁部１２ｂに、半円形の摘み部２０が外側に突出して設けられている。副片部１６には、薬剤の名称や成分等の情報が印刷された第２印刷部２２が１第１印刷部１４とは別に設けられている。
【００１５】
シート１２の、第１印刷部１４と第２印刷部２２が印刷された面と反対側の面には、容器１１に貼着される粘着剤２３が塗布されている。粘着剤２３は容器１１に確実に貼り付けられる強度を有し、一定以上の力で剥離可能であり、剥離した後に再び他の部材に貼着可能な粘着性を有するものである。副片部１６の摘み部２０は粘着剤２３が設けられていない非粘着部である糊殺し部２４となっている。シート１２の下側縁部１２ｂに対して平行な上側縁部１２ｃは、全長にわたって粘着剤２３が塗布されている。
【００１６】
次にこの実施形態の分割摘み付きラベル１０の使用方法について説明する。分割摘み付きラベル１０を、医療用の液体の薬剤が入れられた有底筒状の容器１１の側面に、円周方向に巻き回して貼着する。この時、下側縁部１２ｂが容器１１の底側となるようにし、副片部１６の摘み部２０は、容器１１の底に向かって突出する。分割摘み付きラベル１０を貼着した容器１１を、緩衝機能を有する包装用箱１に入れて運搬や保管を行う。
【００１７】
ここで、包装用箱１について説明する。包装用箱１は、図６に示すものであり、紙製等の一枚のブランクシートから一体的に打ち抜かれた箱体形成片であり、側面２，３，４，５が互いに連接して設けられ、箱体の内部空間を側面２，４に対して平行に２分割する中央仕切板６が設けられている。中央仕切板６の両面には仕切構成部７が接着され、仕切構成部７の上端部は中央仕切板６の上端部にほぼ一致している。仕切構成部７の上端部より少し下には４枚の側方仕切片８が逆くの字の切込線で区切られて設けられ、側方仕切片８は仕切構成部７に対してほぼ直角に立ち上がり、中央仕切板６と側面４、または中央仕切板６と側面２の間の空間を中央仕切板６に沿って５等分の空間に仕切っている。５等分された空間が２列設けられ１０個の空間に仕切られている。
【００１８】
包装用箱１の仕切られた１０個の空間の中に、分割摘み付きラベル１０を貼着した容器１１を各々入れ、上蓋片９を閉じて包装する。容器１１を包装用箱１から取り出すときは、上蓋片９を開き、包装用箱１の中央仕切板６と側方仕切片８と各側面２，３，４，５で囲まれた空間から容器１１を上方に移動して引き抜く。この時、中央仕切板６に貼り付けられた仕切構成部７の周縁部７ａが下方に対向する段部となっているため容器１１の側面が周縁部７ａに接触することがあるが、分割摘み付きラベル１０が周縁部７ａに引っ掛かっても、上側縁部１２ｃは全長にわたって粘着剤２３が塗布されて容器１１に密着しているため、剥がれたり切れたりすることがない。さらに、摘み部２０は、容器１１の引き抜き方向とは逆方向に突出しているので、周縁部７ａに引っ掛かることはない。
【００１９】
容器１１に入っている薬剤を使用するとき、分割摘み付きラベル１０の摘み部２０を持ってジッパー線１８を切断しながら副片部１６を容器１１から剥がす。剥がした副片部１６は、カルテや、この薬剤を移して充填した注射器等に貼り、薬剤の取り違え防止や使用履歴を残す等の管理に使用する。
【００２０】
この実施形態の分割摘み付きラベル１０によれば、包装用箱１から容器１１を取り出す際に副片部１６が包装用箱１の仕切構成部７の周縁部７ａに引っ掛かることを防ぎ、副片部１６を傷めることを防いで薬剤の管理を円滑に行うことができる。摘み部２０は下方に向かって突出しているため、容器１１を包装用箱１から引き出すときに、摘み部２０が折れ曲がったり破れたりすることがなく、不用意にジッパー線１８が切断することもない。しかも、分割摘み付きラベル１０の上側縁部１２ｃは粘着剤２３により容器１１に密着しているため、容器１１を取り出す際に包装用箱１の仕切構成部７の周縁部７ａに接触しても、シート１２が剥がれたり切れたりしない。また、副片部１６が粘着剤２３で包装用箱１に付くこともなく、容器１１を包装用箱１から取り出す操作を容易にすることができる。副片部１６が傷むことがなく、また不用意に外れることもないため、確実に薬剤の管理を行うことができる。摘み部２０には糊殺し部２４が設けられ、容器１１の底のカーブによって摘み部２０と容器１１の間に隙間が生じ、容易に摘み部２０を保持して簡単にジッパー線１８を切断してシート１２から外すことができる。
【００２１】
次にこの考案の第二実施形態について図３に基づいて説明する。なお、ここで上記実施形態と同様の部材は同様の符号を付して説明を省略する。この実施形態の分割摘み付きラベル２６は、紙製等のシート１２で作られ、シート１２の一方の面には薬剤の名称や成分等の情報が印刷された第１印刷部１４が設けられている。シート１２は容器１１の側面の円周方向に巻き回す一方向に長い矩形に形成され、長手方向の一方の端部１２ａは副片部２８となり、副片部２８は端部１２ａに対して平行なジッパー線３０で区切られている。副片部２８には、シート１２の端部１２ａの、上側縁部１２ｃに隣接する位置に、半円形の摘み部３２が外側に突出して設けられている。副片部２８には、薬剤の名称や成分等の情報が印刷された第２印刷部３４が１第１印刷部１４とは別に設けられている。
【００２２】
シート１２の、第１印刷部１４と第２印刷部３４が印刷された面と反対側の面には、容器１１に貼着される粘着剤２３が塗布されている。副片部２８の摘み部３２の先端は、粘着剤２３が設けられていない糊殺し部３６となっている。糊殺し部３６は、摘み部３２の先端部分を区切る曲線の内側に設けられ、この曲線の両端部は摘み部３２の周縁部の２箇所に連続し中央部分は摘み部３２の基端部分に向かって湾曲するものであり、摘み部３２の周縁部の上側縁部１２ｃに連続する所定長さは糊殺し部３６ではなく、粘着剤２３が塗布されている。なお、上側縁部１２ｃは全長にわたって粘着剤２３が塗布されている。
【００２３】
この実施形態の分割摘み付きラベル２６は、上記実施形態と同様の使用方法であり、同様の効果を有するものである。摘み部３２は容器１１の円周方向に突出し、摘み部３２の周縁部の所定長さの部分が粘着剤２３により容器１１に糊付けされ、糊殺し部３６が半円形に設けられ摘み部３２が容器１１の側面から浮くことが少なく、容器１１を包装用箱１から引き出すときに、摘み部３２が折れ曲がったり破れたりすることがなく、不用意にジッパー線３０が切断することもない。分割摘み付きラベル２６の上側縁部１２ｃと上側縁部１２ｃに連続する摘み部３２の周縁部は粘着剤２３により容器１１に密着しているため、容器１１を取り出す際に包装用箱１の仕切構成部７の周縁部７ａに接触しても、シート１２が剥がれたり切れたりしない。摘み部３２は糊殺し部３６が設けられ、容器１１の側周面のカーブによって摘み部３２の先端と容器１１の間に隙間が生じ、容易に摘み部３２を保持して簡単にジッパー線３０を切断してシート１２から外すことができる。摘み部３２は、シート１２の端部１２ａに設けられているため面積を大きくすることができ、糊殺し部３６の面積も大きくなり、指でつまみやすいものとなる。
【００２４】
次に、この考案の第三次形態について図４、図５に基づいて説明する。なお、ここで、上記実施形態と同様の部材は同様の符号を付して説明を省略する。この実施形態の分割摘み付きラベル３８は、有底筒状の容器１１に貼着するものであり、容器１１の開口部にはキャップ１１ａが設けられている。分割摘み付きラベル３８は、紙製等のシート１２で作られ、シート１２の一方の面には薬剤の名称や成分等の情報が印刷された第１印刷部１４が設けられている。シート１２は容器１１の側面の円周方向に巻き回す一方向に長い矩形に形成され、長手方向の一方の端部１２ａは副片部４０となり、副片部４０は端部１２ａに対して平行なジッパー線４２で区切られている。副片部４０には、シート１２上側縁部１２ｃに、帯状の摘み部４４が設けられ、摘み部４４は、容器１１の側面にシート１２を貼った時に容器１１に取り付けられたキャップ１１ａの側方に達しわずかに上方に突出する長さであり、先端部は半円形に形成されている。副片部４０は、薬剤の名称や成分等の情報が印刷された第２印刷部４６が１第１印刷部１４とは別に設けられている。
【００２５】
シート１２の第１印刷部１４と第２印刷部４６が印刷された面と反対側の面には、容器１１に貼着される粘着剤２３が塗布されている。副片部４０の摘み部４４の、先端を除く部分には、粘着剤２３が設けられていない糊殺し部４８となっている。摘み部４４の、糊殺し部４８よりも先端の部分は粘着剤２３が塗布されて粘着力を有している。
【００２６】
この実施形態の分割摘み付きラベル３８は、上記実施形態と同様の使用方法であり、同様の効果を有するものである。摘み部４４の先端は、容器１１が包装用箱１に収容された時に仕切構成部７の周縁部７ａよりも先端が上方に位置しているため、容器１１を包装用箱１から引き出すときに仕切構成部７の周縁部７ａ等に先端が接触せず、引っ掛かることがない。また、摘み部４４の先端は粘着剤２３でキャップ１１ａの側周面に接着されているため、容器１１を包装用箱１から引き出すときに。摘み部４４が折れ曲がったり破れたりすることがなく、不用意にジッパー線４２が切断することもない。分割摘み付きラベル３８の上側縁部１２ｃと摘み部４４の先端は粘着剤２３により容器１１またはキャップ１１ａに密着しているため、容器１１を取り出す際に包装用箱１の仕切構成部７の周縁部７ａに接触しても、シート１２が剥がれたり切れたりしない。摘み部４４は、容器１１の側面とキャップ１１ａの間が容器１１から浮いているため、容易に摘み部４４を保持して簡単にジッパー線４２を切断してシート１２から外すことができる。摘み部４４の途中の部分は糊殺し部４８となり、容器１１から浮いていても粘着剤２３がないためゴミ等が付かず、きれいな状態を保つことができる。
【００２７】
なお、この考案の分割摘み付きラベルは、上記各実施形態に限定されるものではなく、シートや粘着剤の素材は自由に選択可能であり、副片部や印刷部の大きさ等、適宜変更可能である。包装用箱や容器の形状も異なるものでもよく、容器の内容物は医療用の液体の薬剤以外でも良い。包装用箱や容器の形状に合わせてシートの形状を適宜変更して使用することができる。
【符号の説明】
【００２８】
１  包装用箱
１０，２６，３８  分割摘み付きラベル
１１  容器
１１ａ  キャップ
１２  シート
１２ａ  端部
１２ｂ  下側縁部
１２ｃ  上側縁部
１４  第１印刷部
１６，２８，４０  副片部
１８，３０，４２  ジッパー線
２０，３２，４４  摘み部
２２，３４，４６  第２印刷部
２３  粘着剤
２４，３６，４８  糊殺し部
【図１】
0003186102.tif 000003
【図２】
0003186102.tif 000004
【図３】
0003186102.tif 000005
【図４】
0003186102.tif 000006
【図５】
0003186102.tif 000007
【図６】
0003186102.tif 000008